(57)【特許請求の範囲】
【請求項１】
共有カードスロット空間のためのフールプルーフ構造であって、
ハウジングを備え、
第１のカードスロット及び第２のカードスロットは前記ハウジングの内側に配置され、前記第１のカードスロットの開口部は前記第２のカードスロットの挿入口と反対側に配置され、
共通空間は、前記第１のカードスロットと前記第２のカードスロットとの間に配置され、
溝は前記共通空間の前記ハウジングの内側に配置され、ストッパは、前記溝の内側に配置され、
前記ストッパは、前記第１のカードスロットと前記第２のカードスロットとの間で、前記溝内でスライドすることができ、前記第２のカードスロットに対応するカードが前記第１のカードスロット内に挿入されることを防止するように構成され、又は、前記第１のカードスロットに対応するカードが前記第２のカードスロット内に挿入されることを防止するように構成される、共有カードスロット空間のためのフールプルーフ構造。
【請求項２】
前記第１のカードスロットの前記挿入口の長手方向の長さは、前記第２のカードスロットの前記挿入口の長手方向の長さより大きく、
前記ストッパは、前記第２のカードスロットに対応するカードが前記第１のカードスロット内に挿入されることを防止するように構成される、請求項１に記載の共有カードスロット空間のためのフールプルーフ構造。
【請求項３】
前記第１のカードスロットに対応するカードは、加入者識別モジュールのシムカードであり、前記第２のカードスロットに対応するカードは、セキュアデジタルメモリカード、ＳＤカードである、請求項２に記載の共有カードスロット空間のためのフールプルーフ構造。
【請求項４】
前記ストッパは、スライド部分と停止部分とを備え、
前記スライド部分は前記溝の内側に配置され、
前記停止部分は前記スライド部分に接続される、請求項１〜３のいずれか一項に記載の共有カードスロット空間のためのフールプルーフ構造。
【請求項５】
前記スライド部分及び前記停止部分は、Ｔ字形状を形成し、
２つの凹部は、前記スライド部分の上部側壁の空間に配置され、
前記凹部に対応する２つの凸部は、前記溝の側壁の空間に配置される、請求項４に記載の共有カードスロット空間のためのフールプルーフ構造。
【請求項６】
前記停止部分の垂直方向において延在したボスが存在する、請求項５に記載の共有カードスロット空間のためのフールプルーフ構造。
【請求項７】
ステップは、前記ボスの反対側の前記停止部分に配置され、
前記ステップは、前記停止部分を上段部分及び下段部分に分割し、間隙は、前記上段部分に対応する位置で、前記ハウジングに配置される、請求項６に記載の共有カードスロット空間のためのフールプルーフ構造。
【請求項８】
一方の凹部は前記停止部分の一方の側の前記スライド部分の側壁に位置し、他方の凹部は前記停止部分の他方の側の前記スライド部分の前記側壁に位置する、請求項５又は６に記載の共有カードスロット空間のためのフールプルーフ構造。
【請求項９】
固定ブロックは前記スライド部分の上部に配置され、
前記固定ブロックは、前記溝に固定される、請求項４〜８のいずれか一項に記載の共有カードスロット空間のためのフールプルーフ構造。
【請求項１０】
１つ以上のコラムは、前記溝の側壁の上部表面に配置され、
前記コラムに対応する孔は、前記固定ブロックに配置され、
前記コラムは、対応する孔内に挿入され、
前記固定ブロックは、前記コラムがホットメルトされた後で前記溝に固定される、請求項９に記載の共有カードスロット空間のためのフールプルーフ構造。
【請求項１１】
４つのコラムは並行して、前記上部表面に配置され、
１つのコラムは、前記上部表面に対して垂直である横方向表面に配置される、請求項１０に記載の共有カードスロット空間のためのフールプルーフ構造。
【請求項１２】
前記ストッパは、金属材料又はプラスチック材料から製造される、請求項１〜１１のいずれか一項に記載の共有カードスロット空間のためのフールプルーフ構造。
【発明の詳細な説明】
【技術分野】
【０００１】
本願発明は、通信の技術分野に関連し、特に、共有カードスロット空間のためのフールプルーフ構造（foolproof structure）に関連する。
【背景技術】
【０００２】
多くの通信端末製品は、２つのカード、すなわち加入者識別モジュール（シム）カード及びセキュアデジタルメモリカード（ＳＤカード）を使用することを必要とする。シムカード及びＳＤカードはカードスロットに配置される。製品レイアウト要求に従って、２つのカードのカードスロットは互いに独立しており、すなわち、分離して配置されたシムカードスロット及びＳＤカードスロットが存在する。
【０００３】
先行技術は以下の欠点を有する。２つのカードはカードスロット空間を共有することができない。それにもかかわらず、カードが挿入される場合、又はカードが取り外される場合に、動きの干渉は起こる。間違ったカードスロット内へのカードの挿入のリスクは上昇し、さらに、製品寸法及びレイアウト要求を満たすことができない。
【発明の概要】
【発明が解決しようとする課題】
【０００４】
先行技術における前述の欠陥のために、本願発明の実施形態の目的は、干渉及び間違ったカードスロットへの挿入を避けるために、製品の空間効率を増加させるために、且つ、製品寸法を減少させるために、共有カードスロット空間のためのフールプルーフ構造を提供することである。
【課題を解決するための手段】
【０００５】
前述の目的を達成するために、本願発明で採用された技術的解決方法は以下のとおりである。共有カードスロット空間（sharing card slot space）のためのフールプルーフ構造であって、ハウジングを備え、第１のカードスロット及び第２のカードスロットは前記ハウジングの内側に配置され、前記第１のカードスロットの挿入口は前記第２のカードスロットの挿入口と反対側に配置され、共通空間は、前記第１のカードスロットと前記第２のカードスロットとの間に配置され、溝は前記共通空間の前記ハウジングの内側に配置され、ストッパは、前記溝の内側に配置され、前記ストッパは、前記第１のカードスロットと前記第２のカードスロットとの間で、溝内でスライドすることができ、前記第２のカードスロットに対応するカードが第１のカードスロット内に挿入されることを防止するように構成され、又は、第１のカードスロットに対応するカードが前記第２のカードスロット内に挿入されることを防止するように構成される、共有カードスロット空間のためのフールプルーフ構造が提供される。
【０００６】
本願発明の実施形態において提供された技術的解決方法は、以下の有利な効果をもたらす。２つのカードスロットの間の共通空間においてストッパを配置することによって、技術的解決方法は、間違ったカード挿入及びカードが取り外された場合における他のカードスロットに戻るカード移動の問題を解決し、製品の空間効率を増加させ、空間を節約し、それによって、２つのカードスロットを有する製品の寸法を減少させる
【図面の簡単な説明】
【０００７】
【図１】本願発明の実施形態による共有カードスロット空間のためのフールプルーフ構造の一の態様の概略図である。
【図２】本願発明の実施形態による共有カードスロット空間のためのフールプルーフ構造の他の態様の概略図である。
【図３】本願発明の実施形態による共有カードスロット空間のためのフールプルーフ構造の、ＳＤカードを取り外した態様の概略構造図である。
【図４】本願発明の実施形態によるストッパの概略構造図である。
【図５】本願発明の実施形態による、ストッパと溝との間の整合態様の概略図である。
【図６】本願発明の実施形態による、ストッパと溝との間の整合の他の態様の概略図である。
【図７】本願発明の実施形態によるストッパの上部に固定される固定ブロックの概略構造図である。
【発明を実施するための形態】
【０００８】
図面において、参照符号は以下のとおりである。
１  ハウジング、１０  間隙、２  第１のカードスロット、３  第２のカードスロット、４  共通空間、５  溝、５０  凸部、５１  上部表面、５２  横方向表面、５３  コラム、６  ストッパ、６０  スライド部分、６１  停止部分、６１０  ステップ、６１１  上段部分、６１２  下段部分、６２  凹部、６３  ボス、７  シムカード、８  ＳＤカード、９  固定ブロック、９０  孔
【０００９】
本願発明の目的、技術的解決方法及び利点を明確にするために、以下の説明は、添付した図面を参照しつつ、本願発明の実施形態を詳細に記載する。
【００１０】
図１を参照すると、共有カードスロット空間のためのフールプルーフ構造は、ハウジング１を含む。第１のカードスロット２及び第２のカードスロット３は、前記ハウジング１の内側に配置される。第１のカードスロット２の挿入部は、第２のカードスロット３の挿入部と反対側に配置されており、共通空間（図２に示す）は、第１のカードスロット２と第２のカードスロット３との間に配置される。溝５（図５に示す）は、共通空間４のハウジングの内側に配置されており、ストッパ６は溝５の内側に配置され、ストッパ６は第１のカードスロット２と第２のカードスロット３との間で、溝５内でスライドすることができ、第２のカードスロット３に対応するカードが第１のカードスロット２内に挿入されることを防止するように構成され、又は、第１のカードスロット２に対応するカードが第２のカードスロット３内に挿入されることを防止するように構成される。
【００１１】
本願発明のこの実施形態において、移動ストッパは、２つのカードスロットの間の共通空間に追加される。ストッパは、間違ったカードの挿入を防止するために使用され、カードが取り外される場合にカードが他のカードスロットに戻ることを防止するために使用される。また、空間効率を増加させ、製品の寸法を減少させる。
【００１２】
図１を参照すると、この実施形態は、前述の実施形態に基づいている。第１のカードスロット２の挿入部の長手方向の長さは、第２のカードスロット３の挿入部の長手方向の長さより大きい。また、ストッパ６は、第２のカードスロット３に対応するカードが第１のカードスロット２内に挿入されることを防止するように構成される。
【００１３】
本願発明のこの実施形態において、ストッパは、第１のカードスロットと第２のカードスロットとの間に配置され、第２のカードスロットの小さなカードが、より大きなカードが挿入されることができる第１のカードスロット内に挿入されることを防止する。カードが第１のカードスロット内に挿入されていない場合において、ストッパは、第１のカードスロットの挿入口に近接されており、それによって、第２のカードスロットに対応するカードが、第１のカードスロット内に挿入されることを防止する。カードが第２のカードスロット内に挿入された後で、ストッパは、第２のカードスロットの挿入口に近接する端部までスライドし、それによって、共通空間が第１のカードスロット内にカードを挿入するために使用されることを可能にする。この実施形態において、空間効率は増加し、間違ったカード挿入は防止され、カードが取り外される場合に、他のカードスロットに戻るようにカードが移動することを防止する。
【００１４】
図２を参照すると、好ましくは、第１のカードスロット２は、シムカード７が挿入されるように構成され、第２のカードスロット３は、ＳＤカード８が挿入されるように構成される。
【００１５】
本願発明のこの実施形態は、シムカード及びＳＤカードが同時に使用される場合に適用可能である。本願発明のこの実施形態による確実な構造において、移動ストッパは、シムカードとＳＤカードとの間の共通空間に配置される。ストッパは、シムカード領域及びＳＤカード領域において移動することができ、その範囲が制限される。シムカード又はＳＤカードが移動のための空間を必要とする場合に、ストッパは、他のカードの領域に移動することができる。例えば、ＳＤカードが挿入された場合に、移動ストッパは、使用者が誤ってＳＤカードをシムカードスロットに挿入することを防止するために、シムカード領域に配置されており、シムカードが挿入される場合に、ストッパは、ＳＤカードに近接する位置まで押され、ＳＤカードの挿入に影響を及ぼさない。使用者がＳＤカードを取り外す場合に、ストッパは、シムカードに近接する位置までＳＤカードと共に押されることができ、それによって、シムカードのカードスロットに戻るようにＳＤカードが移動することを防止することができる。
【００１６】
シムカード７及びＳＤカード８が本願発明の製品に挿入さない場合、ストッパは、図１に示された第１の固定位置に位置する。この場合において、ストッパ６は、シムカードスロット（第１のカードスロット２）を遮断し、使用者は誤って、ＳＤカード８をシムカード７のスロットに挿入することができない。ＳＤカードが第２のカードスロット３内に挿入された後で、ストッパ６は、本来の位置に留まる。この場合において、シムカード７は第１のカードスロット２内に挿入される。シムカード７が挿入される場合に、ストッパ６はシムカードが移動する方向と反対方向に、同時にシムカード７と共に移動する（シムカードがそれと共に移動するために、ストッパを押す。）。シムカードが完全に挿入された場合に、ストッパが図２に示される第２の固定位置にある。使用者が初めにシムカード７を取り出し、次いでＳＤカード８を取り出す場合に、ストッパ６は、シムカード８と共に移動し、図３に示された固定位置に戻るように移動し、ＳＤカード８がさらに移動することを妨げ、過度の長い距離に亘って戻るように移動させることに起因してシムカードスロットに戻るようにＳＤカード８が移動することを防止する。
【００１７】
図４及び図５を参照して、ストッパ６はスライド部分６０及び停止部分６１を含む。スライド部分６０は溝５内に配置されており、停止部分６１はスライド部分６０に接続される。本願発明のこの実施形態において、スライド部分は、移動させるように停止部分を押し出すように構成されており、それによって、ストッパが間違ったカード挿入を防止するとの現象及び取り外した場合に他のカードスロットに戻るようにカードが移動することを防止する現象に導く。
【００１８】
図４及び図５を参照すると、好ましくは、スライド部分６０及び停止部分６１は、Ｔ字形状を形成する。２つの凹部６２は、スライド部分６０の上部側壁上に空間を与える状態で配置され、２つの凸部５０は凹部６２に対応しており、溝５の側壁の空間に配置される。
【００１９】
本願発明のこの実施形態において、２つの固定凸部は、ストッパのスライド部分の側壁に配置されており、ハウジングの溝の固定凹部に対応する。スライドした場合に、ストッパは、一方の位置付けポイントから他方の位置付けポイントまでスライドする。それら２つの位置付けポイントは、ストッパの２つの作業位置に対応する。２つの位置付けポイントの間の横方向の距離は、共通空間の横方向の距離である。本願発明において、互いに対応する凸部及び凹部は、配置される。それによって、ストッパを固定するための位置に固定する。ストッパを固定するための凸部及び凹部の間の整合力は、非常に小さくなる。凸部及び凹部の間の整合は、ストッパが揺さぶられることを防止し、製品が揺さぶられる時に普通ではない音を発生させることを防止する。カードを挿入する力は、固定位置からストッパを容易に押し出すことができ、次いで、ストッパは、挿入されたカードと共に移動する。ストッパの移動範囲を制限するものは、ハウジングの溝の側壁の形状である。ストッパはバッフル板の形態（baffle plate form）とされてもよい。
【００２０】
図４を参照すると、停止部分６１の垂直方向に延在したボス６３が存在する。
【００２１】
本願発明のこの実施形態において、ボスは、間違ったカード挿入の現象を防止するために停止部分の後方端部に配置される。配置されたボスは、本願発明の溝及びスライド部分が製品の縁部に配置されることを可能にし、製品の位置レイアウトの助けとなっている。
【００２２】
図４、図５、図６、及び図７を参照すると、ステップ６１０は、ボス６３の反対側の他方の側部で停止部分６１に配置される。ステップ６１０は、停止部分６１を上段部分６１１及び下段部分６１２に分割し、間隙１０は、上段部分６１１に対応する位置でハウジング１に配置される。
【００２３】
ストッパがスライドする場合に、上段部分がハウジングと接触状態にならないように、ステップは停止部分の表面に配置され、間隙はハウジングに配置される。これは、スライドを容易にするためである。ステップの設計は、下段部分がハウジングから所定の距離を維持することを可能にし、ハウジングによって制限されることなくスライドすることを可能にする。ハウジングは、下段部分の上部に対応して配置される。それは、停止部分全体の陥没を防止し、ボスが押圧された場合に停止失敗を防止する。
【００２４】
好ましくは、一方の凹部６２は、ストップ部分６１の一方の側のスライド部分６０の側壁に位置する。他方の凹部６２は、停止部分６１の他方の側のスライド部分６０の側壁に位置する。
【００２５】
ストッパ６が一方の位置付けポイントに位置する場合に、停止部分６１の一方の側の凹部６２は、ストッパ６を固定するために一方の凸部５０に対応する。ストッパ６が位置付けポイントから出発し、他の位置付けポイントまでスライドする場合に、停止部分６１の他方の側の凹部６２は、ストッパを再び固定するために凸部５０に対応する（図６を参照する）。
【００２６】
図７を参照すると、１つ以上のコラム（column）５３は、溝５の側壁の上部表面５１に配置される。コラム５３に対応する孔９０は、固定ブロック９に配置される。コラム５３は、対応する孔９０内に挿入され、固定ブロック９は、コラム５３がホットメルトされた後で、溝５に固定される。
【００２７】
好ましくは、４つのコラム５３は並行して(in parallel)、上部表面５１上に配置される。１つのコラム５３は、上部表面５１に対して垂直である横方向の表面５２に配置される。それに応じて、４つの孔は並行して、固定ブロック９の一方の側に配置され、１つの孔は他方の側に配置される。
【００２８】
上部表面及び横方向表面に配置されたコラムは、固定ブロックを固定するために孔に対応し、それは、固定ブロックの固定をより確実にする。
【００２９】
図７を参照すると、固定ブロック９は、スライド部分６０の上部に配置され、固定ブロックは溝５に配置される。好ましい固定方法は、以下の通りである。
１つ以上のコラム５１が溝５の側壁の上縁部に配置され、複数のコラム５１に対応する複数の孔９０は固定ブロック９に配置され、コラム５１は対応する孔９０内に挿入され、固定ブロック９は、コラム５３がホットメルトされた後で溝５に固定される。
【００３０】
本願発明のこの実施形態において、溝は、プラスチック製ハウジングに溝付けされる。ストッパは、固定ブロックを使用することによって、プラスチック製ハウジングの溝に固定される。ストッパは、溝内において移動する。一の凸部は、ストッパに対応するように溝の各端部に配置され、それによって、ストッパが固定されることができ、所定の位置に固定されることができる。それによって、ストッパは２つ固定位置を有する。カードが取り外される場合に、凹部は凸部から離れるように移動し、これは使用者の手の感触に影響を及ぼすことなく、ストッパのセルフロック（self-lock）を容易に解除することができる。
【００３１】
ストッパは、金属又はプラスチック材料から製造され、金属プレス加工又は粉末冶金などの技術を使用することによって製造されることができる。
【００３２】
本願発明による確実な構造の作動原理は以下の通りである。ストッパは、間違ったカード挿入の問題及び過度の長い距離に亘って戻るカード移動を防止するために２つのカードスロットを分離するように構成され、ストッパが所定の範囲内で移動することができる。移動ストッパは、移動空間の寸法を柔軟に変化させるように構成させる。シムカード及びＳＤカードのうちの一方が空間を必要とする場合に、ストッパは、他方のカードがカードのために必要とされる空間を作り出すために、一方のカードと共に移動することができる。それによって、シムカード及びＳＤカードがカードスロットの共通空間を共有することを可能にし、且つ製品レイアウトのより大きな空間圧縮率をもたらす目的を達成することができる。
【００３３】
本願発明において、共有カードスロット空間のためのフールプルーフ構造は、シムカード及びＳＤカードのカードスロット共有を実施することができ、空間を節約し、製品の寸法を減少させることができる。フールプルーフ構造は、空間を共有する２つ以上の移動部分に適用されることができる。
【００３４】
前述の説明は単に、本願の例示的な実施形態であるが、本願発明を限定するように意図されていない。変更、同等物の置き換え、及び改良は、本願発明の精神及び原理から逸脱することなく行われ、本願発明の技術的範囲内に属する。
【符号の説明】
【００３５】
１  ハウジング
１０  間隙
２  第１のカードスロット
３  第２のカードスロット
４  共通空間
５  溝
５０  凸部
５１  上部表面
５２  横方向表面
５３  コラム
６  ストッパ
６０  スライド部分
６１  停止部分
６１０  ステップ
６１１  上段部分
６１２  下段部分
６２  凹部
６３  ボス
７  シムカード
８  ＳＤカード
９  固定ブロック
９０  孔
【図１】
0005850482.tif 000002
【図２】
0005850482.tif 000003
【図３】
0005850482.tif 000004
【図４】
0005850482.tif 000005
【図５】
0005850482.tif 000006
【図６】
0005850482.tif 000007
【図７】
0005850482.tif 000008